(57)【特許請求の範囲】
【請求項１】
外枠条片を方形状に枠組した外枠内に内枠条片を方形状に枠組した内枠が回動自在に嵌合され且つ該外枠に対して該内枠が嵌脱可能とされる天井点検口において、該内枠の対向する一対の該内枠条片の端部近傍下方にはそれぞれ外向きの回転軸が突設され、該外枠の対向する一対の該外枠条片の内側には長さ方向に該回転軸が係合する凹溝がそれぞれ形成されると共に対向する一対の該外枠条片下縁には長さ方向に内向きの下部突縁が形成され、対向する一対の該外枠条片の内側における一端側上方にその一端部上方を枢着されたそれぞれの軸係止板は、該外枠条片の該下部突縁上に平接載置される底縁と、他端部上方から該底縁に向けて傾斜する斜縁と、該底縁から上方に向けて該回転軸が嵌入される凹入縁とを有し、該外枠の該凹溝に係合している該内枠の該回転軸が、該凹溝を一端側に滑動して該軸係止板の該斜縁に当接することにより該軸係止板を持上げて該凹入縁に嵌入した場合に、該回転軸が他端側に移動して該凹入縁から脱出することを制限するために、嵌入状態の該回転軸が接する該凹入縁の他端部側の下端部は該回転軸の他端部側の端部よりも一端側に突出するように形成され、該底縁に対し他端部側に向けて鋭角状に切欠かれていることを特徴とする天井点検口。
【請求項２】
前記軸係止板の前記凹入縁は、前記回転軸が該軸係止板の枢着軸を中心として回動する該軸係止板の該凹入縁に円滑に嵌入できるようにするために、該軸係止板における前記底縁の一端部側から他端部側に向けて上昇する傾斜状に切欠かれ、該回転軸がこの傾斜に沿うように該軸係止板が回動することを特徴とする請求項１記載の天井点検口。
【請求項３】
前記回転軸が前記係止板の前記凹入縁内で他端部側に若干の移動を許容するために、該凹入縁の他端部側は水平方向に拡張して切欠かれていることを特徴とする請求項１又は請求項２記載の天井点検口。
【請求項４】
前記回転軸の端部は拡径されていることを特徴とする請求項１乃至３のいずれか１項記載の天井点検口。
【請求項５】
すべての前記外枠条片の上方には長さ方向に内向きの上部突縁が形成され、該上部突縁には封止条片が嵌着され、前記外枠に対して閉塞した前記内枠のすべての前記内枠条片の頂縁が該封止条片に圧着して封止状態を形成する請求項１乃至４記載の天井点検口。
【発明の詳細な説明】
【０００１】
【発明の属する技術分野】
本発明は、天井裏の配線、配管等を点検修理するために天井面に設置される天井点検口、特に外枠内に内枠が回動自在に嵌合され、且つ外枠に対し内枠を嵌脱可能とすることを特徴とする天井点検口に関する。
【０００２】
【従来の技術】
外枠内に内枠が回動自在に嵌合され、且つ外枠に対し内枠を嵌脱可能とする天井点検口は、例えば特公平２−５５５８５号公報に見られるように従来から種々の提案がなされている。これらの天井点検口では、内枠が外枠から取外せるために大がかりな点検や修理の場合に便利である一方、外枠から嵌脱可能な内枠が外れて意に反して落下する危険性が生じる。そして外枠からの内枠落下防止手段を付加する提案もなされているが、落下防止が不完全な手段であったり、落下をより完全に防止しようとして複雑な手段を用いたため内枠の嵌脱に著しく手間が掛る手段であったりしている。
【０００３】
【発明が解決しようとする課題】
本発明が解決しようとする課題は、外枠内に内枠が回動自在に嵌合され、且つ外枠に対し内枠を嵌脱可能とし、外枠に嵌合中の内枠の落下を防止し、外枠に対し内枠を嵌脱する操作が容易な手段を備えた天井点検口を提供することにある。
【０００４】
【課題を解決するための手段】
前記課題を解決するために、本発明にかかる天井点検口は、外枠条片を方形状に枠組した外枠内に内枠条片を方形状に枠組した内枠が回動自在に嵌合され且つ該外枠に対して該内枠が嵌脱可能とされる天井点検口において、該内枠の対向する一対の該内枠条片の端部近傍下方にはそれぞれ外向きの回転軸が突設され、該外枠の対向する一対の該外枠条片の内側には長さ方向に該回転軸が係合する凹溝がそれぞれ形成される。そして該外枠内に該内枠を嵌合したときには、該外枠の該凹溝に該内枠の該回転軸が滑動可能に係合する。また対向する一対の該外枠条片下縁には長さ方向に内向きの下部突縁が形成されている。
【０００５】
対向する一対の該外枠条片の内側における一端側上方には、それぞれ軸係止板がその一端部上方を枢着されて設けられている。該軸係止板は、該外枠条片の該下部突縁上に平接載置される底縁と、他端部上方から該底縁に向けて傾斜する斜縁と、該底縁から上方に向けて該回転軸が嵌入される凹入縁とを有し、該外枠の該凹溝に係合している該内枠の該回転軸が、該凹溝を一端側に滑動してやがて該軸係止板の該斜縁に当接することにより該軸係止板を持上げ、さらに滑動して該回転軸が該凹入縁に嵌入した場合に、該回転軸が他端側に移動して該凹入縁から脱出することを制限するために、嵌入状態の該回転軸が接する該凹入縁の他端部側の下端部は該回転軸の他端部側の端部よりも一端側に突出するように形成され、該底縁に対し他端部側に向けて鋭角状に切欠かれている。
【０００６】
【発明の実施の形態】
本発明にかかる天井点検口は、外枠条片を方形状に枠組した外枠内に内枠条片を方形状に枠組した内枠が回動自在に嵌合され且つ該外枠に対して該内枠が嵌脱可能とされる天井点検口において、該内枠の対向する一対の該内枠条片の端部近傍下方にはそれぞれ外向きの回転軸が突設され、該外枠の対向する一対の該外枠条片の内側には長さ方向に該回転軸が係合する凹溝がそれぞれ形成されると共に対向する一対の該外枠条片下縁には長さ方向に内向きの下部突縁が形成され、対向する一対の該外枠条片の内側における一端側上方にその一端部上方を枢着されたそれぞれの軸係止板は、該外枠条片の該下部突縁上に平接載置される底縁と、他端部上方から該底縁に向けて傾斜する斜縁と、該底縁から上方に向けて該回転軸が嵌入される凹入縁とを有し、該外枠の該凹溝に係合している該内枠の該回転軸が、該凹溝を一端側に滑動して該軸係止板の該斜縁に当接することにより該軸係止板を持上げて該凹入縁に嵌入した場合に、該回転軸が他端側に移動して該凹入縁から脱出することを制限するために、嵌入状態の該回転軸が接する該凹入縁の他端部側の下端部は該回転軸の他端部側の端部よりも一端側に突出するように形成され、該底縁に対し他端部側に向けて鋭角状に切欠かれていることを主な特徴とする。
【０００７】
また、回転軸が、軸係止板の枢着軸を中心として回動する軸係止板の凹入縁に円滑に嵌入できるようにするために、前記軸係止板の前記凹入縁は、前記回転軸が該軸係止板の枢着軸を中心として回動する該軸係止板の該凹入縁に円滑に嵌入できるようにするために、該軸係止板における前記底縁の一端部側から他端部側に向けて上昇する傾斜状に切欠かれ、該回転軸がこの傾斜に沿うように該軸係止板が回動することを特徴とする。
【０００８】
さらに、内枠が外枠に対して垂直な位置を越えた角度に開扉される場合に備えて、前記回転軸が前記軸係止板の前記凹入縁内で他端部側に若干の移動を許容するために、該凹入縁の他端部側は水平方向に拡張して切欠かれていることを特徴とする。
【０００９】
また、軸係止板の凹入縁に嵌入した回転軸が軸方向に脱嵌しないようにするために、前記回転軸の端部は拡径されていることを特徴とする。
【００１０】
さらに、密封型の天井点検口を形成するために、すべての前記外枠条片の上方には長さ方向に内向きの上部突縁が形成され、該上部突縁には封止条片が嵌着され、前記外枠に対して閉塞した前記内枠のすべての前記内枠条片の頂縁が該封止条片に圧着して封止状態を形成することを特徴とする。
【００１１】
上記したように構成され天井の所定の箇所に設置された天井点検口で、外枠に内枠を装着するには、内枠を外枠に対して垂直に立て且つ一時的に対角方向に位置させて、内枠の両回転軸を一対の対向する外枠条片の両凹溝に係合するように水平回転させる。両凹溝に係合した内枠の両回転軸を凹溝に沿って外枠の他端側から一端側の方向に滑動させる。外枠条片の一端側上方に枢着されていると共にその底縁が外枠条片の下部突縁上に載置されている軸係止板の斜縁にやがて回転軸が当接し、さらに滑動を進めると回転軸が軸係止板を持上げて底縁を通過し、その後軸係止板の凹入縁に嵌入して軸係止板は重力によって元の位置に戻り、嵌入された回転軸は、軸方向には凹溝の係合によって、また軸方向と直交する水平方向には凹入縁の係止によって移動を制限される。内枠の通常の開閉はこの状態で回転軸を中心とした内枠の回動操作によって行われる。前記のように回転軸の移動は制限されているから内枠が外れて落下する虞がない。外枠に装着されている内枠を取外すには、内枠開放状態で軸係止板を上方に持上げて凹入縁から回転軸を脱嵌し、内枠を側方に滑動させた上で、垂直軸回転し、両回転軸を両凹溝から脱出して行う。このように本発明によれば、外枠内に内枠が回動自在に嵌合され、且つ外枠に対し内枠を嵌脱可能とし、外枠に嵌合中の内枠の落下を防止し、且つ外枠に対し内枠を嵌脱する操作が容易な手段を備えた天井点検口を提供することができる。
【００１２】
【実施例】
本発明の実施例について添付図面を参照して説明する。
図１は天井点検口全体の分解斜視図であり、また図２および図３は天井点検口全体の縦断面図である。天井点検口において、外枠条片２を方形状に枠組した外枠１は天井面と同一面となるように天井構造体に対して吊持手段（図示されていない。）によって吊持されており、天井裏への口部を形成する。外枠１内には内枠条片４を方形状に枠組した内枠３が後述するように外枠１が形成する口部を閉塞出来るように外枠１に対して回動自在に且つ必要に応じて嵌脱自在に設置されている。内枠３内には天井下地板５と天井仕上板６とが敷設されていて、内枠３に口部の蓋体としての機能を保有させている。なお図１乃至図３において、符号１８は閉塞状態の内枠３を保持するために外枠１に設置された錠止具である。
【００１３】
本発明にかかる天井点検口は、外枠１に対する内枠３の開閉機構に特徴を有するので、次にその点について説明する。内枠３は、４枚の内枠条片４を内枠隅金具７によって方形状に接合して形成され、内部には前述のように天井下地板５と天井仕上板６とが敷設されている。内枠３の対向する一対の内枠条片４，４の端部近傍下方にはそれぞれ外向きの回転軸８が突設されている。図５および図６に示されるように、回転軸８の先端には拡径部９が設けられ、後述するように内枠３の移動制限に役立つようにされている。また回転軸８は直接的には内枠条片４と一体的な内枠隅金具７に止着されているが、実質的には内枠条片４から突設されていることになる。外枠１は、４枚の外枠条片２を外枠隅金具１０によって方形状に接合して形成され、少なくとも対向する一対の外枠条片２，２には、それぞれその内側に回転軸８が係合する凹溝１１が形成され、また外枠条片２下縁には長さ方向に内向きの下部突縁１２が形成されている。なお図５および図６において符号２０は建物自体の天井板である。
【００１４】
図５に示されるように、対向する一対の外枠条片２，２の内側における一側端上方には、それぞれ軸係止板１３の一端部上方が枢着軸１４で枢着されている。軸係止板１３は外枠条片２の下部突縁１２上に平接載置される底縁１５と、他端部上方から底縁１５に向けて傾斜する斜縁１６と、底縁１５から上方に向けて回転軸８が嵌入される凹入縁１７とを有している。図４に示されるように、外枠条片２の凹溝１１に係合している内枠３の回転軸８が凹溝１１を一端側に滑動すると、やがて外枠条片２の一端側上方に枢着されており、その底縁１５が外枠条片２の下部突縁１２上に載置されている軸係止板１３の斜縁１６に回転軸８が当接し、さらに滑動を進めると、図４の円弧状矢印のように、回転軸８が軸係止板１３を持上げて底縁１５を通過し、やがて軸係止板１３の凹入縁１７に嵌入して軸係止板１３は重力で元の位置に戻る。嵌入状態の回転軸８が接する凹入縁１７の他端部側は底縁１５に対し他端部側に向けて鋭角状に切欠かれており、凹入縁１７に嵌入した回転軸８が他端側に移動して凹入縁１７から脱出することを制限される。このように凹入縁１７に嵌入された回転軸８は、軸方向には凹溝１１の係合によって、また軸方向と直交する水平方向には凹入縁１７の係止によって移動を制限される。
【００１５】
内枠３の通常の回転開閉は、外枠１内に開閉自在に内枠３が軸支されたこの状態で回転軸８を中心とした内枠３の開閉操作によって行われる。軸係止板１３について、さらに詳細な構成をみてみると、軸係止板１３の凹入縁１７は、底縁１５の一端部側から他端部側に向けて上昇する傾斜状に切欠かれており、これは回転軸８が、軸係止板１３の枢着軸１４を中心として回動する軸係止板１３の凹入縁１７に円滑に嵌入できるようにするために傾斜状にされたものであり、回転軸８はこの傾斜に沿って嵌入されることになる。また図７に示されるように、内枠３が外枠１に対して垂直を超えた角度に開扉させる場合に、内枠３の一部が外枠条片２に衝接して開扉が制限されるときにも、回転軸８が軸係止板１３の凹入縁１７内で若干の移動を許容して大角度の開扉を可能とするために、凹入縁１７の他端部側は水平方向に拡張して切欠かれて拡張切欠１９が形成されている。また回転軸８の軸方向への移動制限は凹溝１１の係合によって行われるが、前記したように回転軸８の先端には拡径部９が設けられていて、図５および図６に示されるように、軸係止板１３の凹入縁１７に嵌入された回転軸８の拡径部９が凹入縁１７周りの軸係止板１３に係合することによって、さらに回転軸８が軸方向に脱嵌することのないようにされている。
【００１６】
天井の所定箇所に設置された天井点検口で、天井構造体に固定された外枠１に内枠３を装着するには、内枠３を外枠１に対して垂直に立て、且つ一時的に対角方向に位置させて、内枠３の両回転軸８，８を一対の対向する外枠条片２、２の両凹溝１１、１１に係合するように水平回転させる。両凹溝１１，１１に係合した内枠３の両回転軸８，８をそれぞれ凹溝１１に沿って外枠１の他端側から一端側の方向に滑動させる。滑動が進むと前述のように軸係止板１３の斜縁１６に回転軸８が当接し、回転軸８が軸係止板１３を持上げて底縁１５を通過し、やがて軸係止板１３の凹入縁１７に嵌入して軸係止板１３は重力で元位置に戻り、天井点検口の通常の開閉使用状態に到達し、内枠３の通常の開閉はこの状態で回転軸８を中心とした内枠の回動操作によって行われる。前記のように回転軸８の移動は制限されているから内枠３が落下する虞がない。外枠１に装着されている内枠３を取外すには、内枠開放状態でそれぞれの軸係止板１３を上方に持上げて凹入縁１７から回転軸８を脱嵌し、内枠３を側方に滑動させた上で垂直軸回転し、両回転軸８，８を両凹溝１１，１１から脱出して行う。
【００１７】
本発明の他の効果として、製造工場から外枠１に内枠３を装着した状態で天井点検口を出荷する場合に、外枠１に内枠３を装着するには、外枠１を上下反転させて作業台上に載置すれば、軸係止板１３の底縁１５は重力で外枠条片２の下部突縁１２から離れるから、その上部から上下反転させた内枠３を僅かに捻って両回転軸８，８を外枠条片２，２の凹溝１１，１１に嵌合すれば簡単に外枠１に内枠３を装着することが出来る。図８および図９には前記した目的、構成を具備した天井点検口について、さらに屋内と天井裏とを密封状に閉塞する密封型天井点検口の例が示されている。密封型天井点検口では、すべての外枠条片２の上方に長さ方向に内向きの上部突縁２１が形成され、上部突縁２１には弾力性を有する封止条片２２が嵌着される。内枠３では、天井下地板５および天井仕上板６が内枠条片４と密封状態で接合されており、外枠１に対して閉塞した内枠３のすべての内枠条片４の頂縁２３が封止条片２２に圧着して封止状態を形成する。密封型天井点検口のその他の構成は前記した実施例と同様である。
【００１８】
【発明の効果】
本発明は、次のような効果を奏する。
Ａ．所定の箇所に設置された天井点検口で、外枠に対して分離している内枠を装着するには、内枠を外枠に対して垂直に立て且つ一時的に対角方向に位置させて、内枠の両回転軸を一対の対向する外枠条片の両凹溝に係合するように水平回転させ、次いで両凹溝に係合した内枠の両回転軸を凹溝に沿って外枠の他端側から一端側の方向に滑動させ、やがて軸係止板の斜縁に回転軸が当接して回転軸が軸係止板を持上げて底縁を通過し、その後軸係止板の凹入縁に嵌入して軸係止板は重力で元の位置に戻ることによって、外枠に対して内枠を回動自在に軸着した通常の天井点検口の設置状態となり、凹入縁に嵌入された回転軸は軸方向には凹溝の係合によって、また軸方向と直交する水平方向には凹入縁の係止によって移動を制限されているからこの設置状態で回転軸の移動は制限されているから内枠が落下する虞がない。また外枠に対して分離している内枠を装着する操作が容易である。
Ｂ．嵌入状態の回転軸が接する凹入縁の他端部側の下端部は該回転軸の他端部側の端部よりも一端側に突出するように形成され、該底縁に対し他端部側に向けて鋭角状に切欠かれており、凹入縁に嵌入した回転軸が他端側に移動して凹入縁から脱出することを制限される。
Ｃ．外枠に装着されている内枠を取外すには、内枠開放状態で軸係止板を上方に持上げて凹入縁から回転軸を脱嵌し、内枠を側方に滑動させた上で、垂直軸回転し、両回転軸を両凹溝から脱出して行うことができるから、外枠から内枠を取外す操作が容易である。
【００１９】
Ｄ．製造工場から外枠に内枠を装着した状態で天井点検口を出荷する場合に、外枠に内枠を装着するには、外枠を上下反転させて作業台上に載置すれば、軸係止板の底縁は重力で外枠条片の下部突縁から離れるから、その上部から上下反転させた内枠を僅かに捻って両回転軸を外枠条片の凹溝に嵌合すれば簡単に外枠に内枠を装着することが出来る。
Ｅ．軸係止板の凹入縁が軸係止板における底縁の一端部側から他端部側に向けて上昇する傾斜状に切欠かれる実施形態では、軸係止板の枢着軸を中心として回動する軸係止板の凹入縁に回転軸を円滑に嵌入できる。
Ｆ．凹入縁の他端部側が水平方向に拡張して切欠かれている実施形態では、内枠が外枠に対して垂直な位置を越えた角度に開扉される場合に対応できる。
Ｇ．回転軸の端部が拡径されている実施形態では、軸係止板の凹入縁に嵌入した回転軸について軸方向の脱嵌の虞をさらに防止することができる。
Ｈ．すべての外枠条片の上方に長さ方向に内向きの上部突縁が形成され、上部突縁には封止条片が嵌着され、外枠に対して閉塞した内枠のすべての内枠条片の頂縁が該封止条片に圧着して封止状態を形成させる実施形態では、密封型の天井点検口を形成することができる。
【図面の簡単な説明】
【図１】天井点検口の全体を示す分解斜視図である。
【図２】同じく天井点検口の縦断面図である。
【図３】図２と別方向から見た天井点検口の縦断面図である。
【図４】回転軸が軸係止板に向って滑動する状況を示す部分斜視図である。
【図５】回転軸が軸係止板に嵌入した状態を示す部分垂直断面図である。
【図６】図５のＡ−Ａ’断面を示す部分垂直断面図である。
【図７】内枠開扉状態を示す部分垂直断面図である。
【図８】密封型天井点検口の垂直断面図である。
【図９】別方向から見た密封型天井点検口の部分垂直断面図である。
【符号の説明】
１  外枠
２  外枠条片
３  内枠
４  内枠条片
８  回転軸
９  拡径部
１１  凹溝
１２  下部突縁
１３  軸係止板
１４  枢着軸
１５  底縁
１６  斜縁
１７  凹入縁
１９  拡張切欠
２１  上部突縁
２２  封止条片
２３  頂縁
【図１】
0004726103.tif 000002
【図２】
0004726103.tif 000003
【図３】
0004726103.tif 000004
【図４】
0004726103.tif 000005
【図５】
0004726103.tif 000006
【図６】
0004726103.tif 000007
【図７】
0004726103.tif 000008
【図８】
0004726103.tif 000009
【図９】
0004726103.tif 000010